(57)【要約】【課題】記録や再生に利用されるマークを、記録密度を低下させることなくかつノイズの原因とならないように配置した光ディスクを提供すること。【解決手段】光ディスク１は、第１基板７、反射層９、ホログラム記録用の記録層１１、記録再生用のレーザ光を透過する第２基板１３が積層された構造をしている。記録領域にはデジタル情報がホログラムＨの形で記録される。記録領域の反射層９には、ホログラムＨの位置決め用マークＭが配置されている。マークＭは、レーザ光が光ディスク１に入射する方向から見てホログラムと重なる位置であって、ホログラムを記録するために記録層１１を露光するレーザ光の光路を避ける位置に形成されている。【選択図】  図９
2004158113.tif 000002
【特許請求の範囲】
【請求項１】
レーザ光により情報をホログラムとして記録する記録領域を備えた光情報記録媒体において、
前記記録領域が、この領域に記録される複数のホログラムの位置決め用マークを有することを特徴とする光情報記録媒体。
【請求項２】
前記位置決め用マークは、レーザ光が前記光情報記録媒体に入射する方向から見て、前記記録領域に記録されるホログラムと重なるのを避ける位置に配置されていることを特徴とする請求項１記載の光情報記録媒体。
【請求項３】
前記位置決め用マークは、レーザ光が前記光情報記録媒体に入射する方向から見て、前記記録領域に記録されるホログラムと重なる位置に配置されていることを特徴とする請求項１記載の光情報記録媒体。
【請求項４】
前記記録領域に記録される複数のホログラムのピッチと同じピッチで、複数の前記位置決め用マークが前記記録領域に配置されていることを特徴とする請求項１〜３のいずれか一項に記載の光情報記録媒体。
【請求項５】
前記記録領域に記録される複数のホログラムのピッチに対して、１より大きい整数倍のピッチで複数の前記位置決め用マークが前記記録領域に配置されていることを特徴とする請求項１〜３のいずれか一項に記載の光情報記録媒体。
【請求項６】
前記記録領域に記録される各ホログラムの位置決めに利用される一対の前記位置決め用マークが前記記録領域に配置されていることを特徴とする請求項１〜５のいずれか一項に記載の光情報記録媒体。
【請求項７】
集束されたレーザ光で記録層を露光することにより前記記録層にホログラムが記録され、前記記録層に複数のホログラムが多重記録される光情報記録媒体において、
レーザ光が前記光情報記録媒体に入射する方向から見てホログラムと重なる位置であって、ホログラムを記録するために前記記録層を露光するレーザ光の光路を避ける位置に、マークが形成されていることを特徴とする光情報記録媒体。
【請求項８】
前記マークは、ホログラムの位置決め用であることを特徴とする請求項７記載の光情報記録媒体。
【請求項９】
前記マークによりプリフォーマットを施すことを特徴とする請求項７または８記載の光情報記録媒体。
【発明の詳細な説明】
【０００１】
【発明の属する技術分野】
本発明は、情報がホログラフィにより記録される光情報記録媒体に関する。
【０００２】
【従来の技術】
従来から、ホログラフィによって情報をイメージ情報の形で光ディスクのような光情報記録媒体に高密度で記録する方式が知られている。このような光ディスクは、反射層、第１透明基板、ホログラム記録材料を含む記録層、第２透明基板を積層した構造をしている（例えば、特許文献１参照）。
【０００３】
【特許文献１】
国際公開第ＷＯ９９／４４１９５号パンフレット（第３９図、第４０図）
【０００４】
上記方式におけるイメージ情報の記録は、イメージ情報を担持する情報光と記録用参照光をレーザ光により生成し、これらの光を第２透明基板側から光ディスクに照射し、記録用参照光と反射層で反射された情報光とを記録層において重ね合わせ、これらの光の干渉により生じる干渉縞を記録層に記録することにより実現される。記録層のうち、干渉縞が記録された領域がホログラムとなる。一方、再生照明光を第２透明基板側から干渉縞が記録された記録層に照射すると、この光が干渉縞によって回折されることにより再生光が生成され、第２透明基板を透過した再生光を基にしてイメージ情報が再生される。
【０００５】
【発明が解決しようとする課題】
上記方式の光ディスクによれば、記録容量を飛躍的に増大させることができるが、記録された情報の再生が遅いと、光ディスクを利用する上で大変不便である。また、記録や再生に利用されるピットのようなマークにより、記録密度が低下したり、ノイズが発生したりするのは好ましくない。
【０００６】
本発明は、かかる問題点に鑑みてなされたもので、再生の高速化が可能な光情報記録媒体を提供することを目的とする。
【０００７】
また、本発明は、記録や再生に利用されるマークを、記録密度を低下させることなくかつノイズの原因とならないように配置した光情報記録媒体を提供することを他の目的とする。
【０００８】
【課題を解決するための手段】
本発明に係る第１の光情報記録媒体は、レーザ光により情報をホログラムとして記録する記録領域を備えた光情報記録媒体において、記録領域が、この領域に記録される複数のホログラムの位置決め用マークを有することを特徴とする。
【０００９】
本発明に係る第１の光情報記録媒体によれば、記録領域に複数のホログラムを記録する際に、それらの位置決めに利用されるマークを記録領域に配置している。よって、再生時における各ホログラムの探索に上記マークを利用することにより、各ホログラムの探索が容易となる。
【００１０】
本発明に係る第１の光情報記録媒体において、位置決め用マークを、レーザ光が光情報記録媒体に入射する方向から見て、記録領域に記録されるホログラムと重なるのを避ける位置に配置してもよい。これによれば、再生される情報の像が、位置決め用マークが原因で歪むのを防止できる。
【００１１】
本発明に係る第１の光情報記録媒体において、位置決め用マークを、レーザ光が光情報記録媒体に入射する方向から見て、記録領域に記録されるホログラムと重なる位置に配置してもよい。これによれば、位置決め用マークを記録領域に配置するために、記録領域の面積を広げる必要がなくなる。
【００１２】
本発明に係る第１の光情報記録媒体において、記録領域に記録される複数のホログラムのピッチと同じピッチで、複数の位置決め用マークを記録領域に配置してもよい。これによれば、各ホログラムに位置決め用マークを割り当てることができるので、各ホログラムの探索がスムーズになる。
【００１３】
本発明に係る第１の光情報記録媒体において、記録領域に記録される複数のホログラムのピッチに対して、１より大きい整数倍のピッチで複数の位置決め用マークを記録領域に配置してもよい。これによれば、所定数のホログラムごとに位置決め用マークが割り当てられることになる。よって、記録領域に配置する位置決め用マークの数を減らすことができるので、マークが原因となるレーザ光の乱反射を少なくできる。
【００１４】
本発明に係る第１の光情報記録媒体において、記録領域に記録される各ホログラムの位置決めに利用される一対の位置決め用マークを記録領域に配置してもよい。これによれば、ホログラムの探索に一対の位置決め用マークを利用するので、探索の基準が二つとなる。したがって、ホログラムの探索がさらに容易となる。
【００１５】
本発明に係る第２の光情報記録媒体は、集束されたレーザ光で記録層を露光することにより記録層にホログラムが記録され、記録層に複数のホログラムが多重記録される光情報記録媒体において、レーザ光が光情報記録媒体に入射する方向から見てホログラムと重なる位置であって、ホログラムを記録するために記録層を露光するレーザ光の光路を避ける位置に、マークが形成されていることを特徴とする。
【００１６】
本発明に係る第２の光情報記録媒体によれば、レーザ光が光情報記録媒体に入射する方向から見てホログラムと重なる位置にマークを形成しているので、記録密度を低下させることなく、マークを配置できる。また、マークは、レーザ光の光路を避ける位置に形成されている。このため、マークによりレーザ光が反射や屈折することはないので、マークがノイズの原因になることはない。
【００１７】
本発明に係る第２の光情報記録媒体において、マークを、ホログラムの位置決め用にすることができる。これによれば、マークを、再生時における各ホログラムの探索に利用することにより、各ホログラムの探索が容易となる。
【００１８】
本発明に係る第２の光情報記録媒体において、マークによりプリフォーマットを施してもよい。これによれば、プリフォーマット領域が不要となるので、光情報記録媒体の記録容量をさらに増大させることができる。
【００１９】
【発明の実施の形態】
以下、図面に基づいて本発明の実施形態に係る光ディスク（光情報記録媒体の一例）について説明する。図１は第１実施形態に係る光ディスク１の平面図である。光ディスク１には、ホログラフィによりデジタル情報が記録される。光ディスク１は円盤状をしており、その中心部に光ディスク用ドライブ装置のスピンドルが固定される中心穴３が形成されている。
【００２０】
光ディスク１には、その内周から外周にかけて連続する螺旋状のトラック５が形成されている。トラックは同心円状であってもよい。トラック５は、記録領域とプリフォーマット領域とが交互に並んで構成されている。記録領域にはデジタル情報がホログラムの形で記録される。プリフォーマット領域には、ホログラムを記録再生するために利用される情報（サーボ情報、セクターマークやトラックのアドレス情報など）が、ピットを用いて光ディスク１の製造時に予め記録されている。
【００２１】
図２は図１の光ディスク１の一部を拡大した図であり、（Ａ）は断面図を示し、（Ｂ）は平面図を示している。光ディスク１は、第１基板７、反射層９、記録層１１および第２基板１３が積層された構造を有する。第１基板７および第２基板１３の厚みは例えば５〜１２００μｍである。基板７，１３の材料は、例えば、ガラス、水晶、ダイヤモンド、樹脂（ポリカーボネートなど）である。ホログラムの記録再生に用いるレーザ光Ｌは第２基板１３側から光ディスク１に照射されるので、第２基板１３はレーザ光Ｌの波長に対して透過性のある材料でなければならないが、第１基板７はこれに限定されない。但し、第１基板７側に再生光が発せられる場合、第１基板７はレーザ光Ｌの波長に対して透過性を有する必要がある。基板７，１３は板状でもよいし、フィルム状や透明コート膜状でもよい。
【００２２】
第１基板７の表面のうち、プリフォーマット領域と対応する箇所にはピット１５が形成され、記録領域と対応する箇所には位置決め用マークＭ（以下、マークＭと記載する場合もある）となるピットが形成されている。マークＭは記録領域に記録される複数のホログラムの位置決めに利用される。これにより、光ディスク１に記録されたデジタル情報の再生の高速化が可能となる。マークＭの詳細は後で説明する。なお、第１基板７上にピット１５やマークＭとなるピットを直接配置するのではなく、これらのピットを有するプリフォーマット層を樹脂などにより第１基板７上に配置してもよい。
【００２３】
ピット１５および位置決め用マークＭを覆うように第１基板７上には反射層９が配置されている。反射層９はレーザ光Ｌを反射する性質を有する金属から構成されており、具体的には、アルミニウム、銀、金、シリコンなどである。反射層９の厚みは、例えば３０〜５００ｎｍである。
【００２４】
記録層１１は反射層９を覆うように配置されている。記録層１１の材料は、情報光や参照光となるレーザ光Ｌが記録層１１に所定時間照射されたとき、レーザ光Ｌの強度に応じて照射箇所の光学特性（屈折率、吸収率、透過度、蛍光発光性、反射率など）が変化するホログラム記録材料であり、感光材を含む。この材料は、例えば、レーザ光Ｌに感光して重合する光重合性有機物である。具体的には、例えば、デュポン（Ｄｕｐｏｎｔ）社製のフォトポリマ（Ｐｈｏｔｏｐｏｌｙｍｅｒｓ）ＨＲＦ−６００（製品名）である。記録層１１の厚みは、例えば４〜１０００μｍである。記録層１１上には第２基板１３が配置され、第２基板１３と第１基板７とにより記録層１１を保持する。以上が光ディスク１の構造である。
【００２５】
次に、ホログラフィの一つの態様であるボリュームホログラフィを利用して、光ディスク１に情報を記録再生する一つの方法について図３を用いて説明する。
図３は光ディスク１の一部を拡大した図であり、図２と対応している。図３において、図２中の符号が示す要素と同一の要素については同一符号を付している。
上記記録によれば、光ディスク１の記録層１１に干渉縞を三次元的に記録することができ、記録密度を増加させることができる。
【００２６】
光ヘッドのレンズ１７で集束されたレーザ光Ｌには記録用参照光とイメージ情報を担持する情報光とが含まれ、記録用参照光と反射層９で反射された情報光とを記録層１１内において干渉させ、これにより発生する干渉縞をホログラムＨとして記録層１１に記録する。このホログラムＨは体積ホログラムである。光ディスク１を僅かに回転させて、先ほど形成されたホログラムＨ（例えばホログラムＨ１とする）と平面的に一部が重なる新たなホログラムＨ（この場合はホログラムＨ２となる）を記録層１１に形成する。これを繰り返すことにより、記録層１１にホログラムを多重記録する。
【００２７】
一方、レンズ１７で集束された再生照明光であるレーザ光ＬをホログラムＨに照射すると、この光はホログラムＨにより回折され、再生光が生成される。レンズ１７を介して光ヘッドで検出された再生光を基にしてイメージ情報が再生される。
【００２８】
次に、位置決め用マークＭの詳細を説明する。図３（Ｂ）に示すように、記録領域には、ホログラムＨが多重記録される方向に沿って、ホログラムＨが記録される箇所を挟むようにこの箇所の両側に、マークＭが配置されている。マークＭの形状や大きさは、レーザＬによりマークＭを検出可能であれば特に限定されず、第１実施形態では例えば直径が１μｍの円形である。マークＭのピッチＰは、ホログラムＨのピッチｐ（例えば１０μｍ）と同じである。
【００２９】
両側に位置する一対のマークＭが一つのホログラムＨに割り当てられている。
例えば、ホログラムＨ１に一対のマークＭ１，Ｍ１が、その隣のホログラムＨ２に一対のマークＭ２，Ｍ２がそれぞれ割り当てられている。これにより、ホログラムＨ１の記録には一対のマークＭ１，Ｍ１がその位置決めに利用され、ホログラムＨ２の記録には一対のマークＭ２，Ｍ２がその位置決めに利用される。一方、ホログラムＨ１，Ｈ２の再生の際におけるホログラムの探索には、それぞれ、一対のマークＭ１，Ｍ１、一対のマークＭ２，Ｍ２が利用される。
【００３０】
位置決め用マークＭが存在しない場合、ピッチｐでホログラムＨを記録領域に多重記録するように光ディスク用ドライブ装置を設計しても、複数のホログラムＨのそれぞれが記録される箇所の誤差は不可避的に生じる。この誤差は、再生時、光ヘッドによるホログラムＨの探索を高速化するのに支障となる。これに対して、第１実施形態に係る光ディスク１によれば、記録領域に位置決め用マークＭが配置されているので、このマークを基にして複数のホログラムＨが多重記録される。よって、再生時において、光ヘッドによるホログラムの探索にマークＭを利用することにより、ホログラムの探索が容易となるので、イメージ情報の再生の高速化が可能となる。
【００３１】
また、位置決め用マークＭは、レーザ光Ｌの入射方向から見て、ホログラムＨが記録される箇所と異なる箇所に配置されている。別の表現を用いれば、マークＭは、レーザ光Ｌが光ディスク１に入射する方向から見て、記録領域に記録されるホログラムＨと重なるのを避ける位置に配置されている。マークＭはピットなので、マークＭの箇所はホログラムＨが記録される箇所に比べて凹んでいる。このため、マークＭがホログラムＨに重なると、上記凹みが原因で再生するイメージ情報の像に歪みが発生する可能性がある。これに対して、第１実施形態では、マークＭがホログラムＨと重なるのを避けているので、上記歪みを防止できる。
【００３２】
また、第１実施形態によれば、位置決め用マークＭのピッチｐはホログラムＨのピッチＰと同じなので、各ホログラムＨにマークＭを割り当てることができる。これにより、各ホログラムＨの探索がスムーズとなり、イメージ情報の再生の高速化を実現できる。
【００３３】
また、第１実施形態は、多重記録された複数のホログラムＨを挟むように両側にマークＭを配置し、一対のマークＭ（例えばマークＭ１，Ｍ１）を、一つのホログラムＨの位置決めに利用しているので、探索の基準が二つになる。これに対して、上記両側のいずれか一方側にのみマークＭを配置した場合、探索の基準は一つになる。よって、第１実施形態によれば、探索の基準が二つなので、ホログラムの探索がさらに容易となる。なお、本発明にはマークＭを上記両側のいずれか一方側にのみ配置した態様も含まれる。また、プリフォーマット領域におけるピット１５は上記両側の中央に配置されているが、上記両側のうち一方側に配置してもよい。
【００３４】
次に、光ディスク１の製造方法の一例について図４を用いて簡単に説明する。
図４は図２（Ａ）の断面と対応する模式的断面図である。まず、図４（Ａ）に示すように、ポリカーボネートなどの樹脂を用いて射出成形により、ピット１５およびマークＭとなるピット付きの第１基板７を作製する。第１基板７のピットが形成された面に、蒸着やスパッタリングなどによってアルミニウムからなる反射層９を形成する。
【００３５】
図４（Ｂ）に示すように、ホログラム記録材料１９を第１基板７上に塗布する。第２基板１３を第１基板７に押し付けて、第１基板７と第２基板１３の間の隙間にホログラム記録材料１９を薄く伸ばして充填する。これにより、図２に示すホログラム記録材料１９からなる記録層１１が形成され、光ディスク１が完成する。
【００３６】
本発明に係る光ディスクは、上述した第１実施形態に限定されるものではなく、以下に説明する第２〜第５実施形態がある。以下、これらの実施形態について第１実施形態との相違を中心に説明する。図５は第２実施形態に係る光ディスクに備えられる記録領域の拡大平面図である。図３（Ｂ）中の符号が示す要素と同一要素については同一符号を付すことにより説明を省略する。第２実施形態は、マークＭのピッチＰを、記録領域に記録される複数のホログラムＨのピッチｐの三倍にしている。このため三つの連続するホログラムＨに対して一対のマークＭが割り当てられる。例えば、ホログラムＨ１，Ｈ２，Ｈ３に一対のマークＭ１，Ｍ１が割り当てられる。第２実施形態によれば、記録領域に配置するマークＭの数を減らすことができる。よって、マークＭが原因となるレーザ光Ｌの乱反射を少なくできるので、ノイズを低減することができる。なお、マークＭのピッチＰは、ホログラムＨのピッチｐの三倍に限定されず、１より大きい整数倍であればよい。
【００３７】
第３実施形態について説明する。図６は第３実施形態に係る光ディスクに備えられるプリフォーマット領域および記録領域の拡大平面図であり、（Ａ）は記録前を示し、（Ｂ）は記録後を示している。図３（Ｂ）中の符号が示す要素と同一要素については同一符号を付すことにより説明を省略する。第３実施形態は、記録領域にホログラムＨを記録すると、マークＭがホログラムＨで覆われる位置にマークＭを設けている。言い換えれば、マークＭは、レーザ光Ｌが光ディスクに入射する方向から見て、記録領域に記録される各ホログラムＨと重なる位置に配置されている。よって、第３実施形態によれば、マークＭを記録領域に配置するために記録領域の幅Ｗ、つまり記録領域の面積を広げる必要がない。したがって、記憶領域にマークＭを配置しても、光ディスクの記憶容量を維持することができる。なお、マークＭの箇所は凹部なので、マークＭとホログラムＨとが重なると、再生したイメージ情報の像に歪みが発生する可能性がある。これを防止するため、マークＭの箇所に樹脂などからなる部材を埋め込み平坦化してもよい。
【００３８】
なお、第１〜第３実施形態において、図２に示す第２基板１３の表面２１や裏面２３にマークＭを印刷してもよい。
【００３９】
第４実施形態について、図７を用いて説明する。図７において、図３（Ａ），（Ｂ）中の符号が示す要素と同一要素については同一符号を付すことにより説明を省略する。図７（Ａ）は、第４実施形態に係る光ディスクに備えられる記録領域の拡大断面図である。いわゆる反射型方式によりホログラムＨを記録している状態を示している。なお、第１〜第３実施形態も反射型方式でホログラムを記録している。図７（Ｂ）は、図７（Ａ）のＢ−Ｂ線に沿った平面図である。記録領域に複数のホログラムＨが多重記録されている。一方、図７（Ｃ）は、図７（Ａ）のＣ−Ｃ線に沿った平面図であり、位置決め用マークＭを示している。Ｓは記録層１１を露光するレーザ光Ｌのビームスポットの位置を示している。例えば、ホログラムＨ１を記録するときのレーザ光ＬのビームスポットはＳ１である。図７（Ｂ）の位置におけるホログラムＨの直径は、例えば、２００〜３０００μｍであり、図７（Ｃ）の位置におけるそれの直径は、例えば、１〜５０μｍである。
【００４０】
第４実施形態では、レーザＬの照射方向からみてホログラムＨと重なる位置であって、ホログラムＨを記録するために記録層１１を露光するレーザ光Ｌの光路を避ける位置に、マークＭが形成されている。体積ホログラムの形状は、頂点が反射層９側に向いた円錐形である。このため、記録層１１の第２基板１３側ではホログラムＨが重なり合っているが、反射層９側ではホログラムＨが形成されていない領域が広く残っている。第４実施形態では、上記領域にマークＭを配置することにより、上記領域の有効利用を図るものである。これにより、記録密度を低下させることなく、マークＭを記録領域に配置できる。また、マークＭは、レーザ光Ｌの光路を避ける位置に形成されているので、マークＭによりレーザ光Ｌが反射や屈折することはない。したがって、マークＭがノイズの原因になることはない。以上のように、第４実施形態によれば、マークＭを、記録密度を低下させることなくかつノイズの原因とならないように配置できる。
【００４１】
なお、マークＭの機能は、ホログラムの位置決めに限らない。これを図８で説明する。図８は、図７（Ｃ）と同様の平面図である。マークＭであるピットにより、プリフォーマット領域に記録する情報（サーボ情報、セクターマークやトラックのアドレス情報など）が光ディスク１の製造時に予め記録されている。これによれば、図１に示すプリフォーマット領域が不要となり、光ディスク１の記録容量をさらに増大させることができる。
【００４２】
第５実施形態について、図９を用いて説明する。この図において、図３（Ａ），（Ｂ）中の符号が示す要素と同一要素については同一符号を付すことにより説明を省略する。第５実施形態が第４実施形態と異なる点は、いわゆる透過型方式により、ホログラムＨを記録する点である。図９（Ａ）〜（Ｃ）は、それぞれ図７（Ａ）〜（Ｃ）と対応している。図９において、ホログラムＨを形成するためのレーザ光のスポットＳの位置は、例えば、ホログラムＨ１で説明すると、一対のスポットＳ１である。一方のスポットＳ１は情報光ＬＩのものであり、他方のスポットＳ１は記録用参照光ＬＲのものである。
【００４３】
第５実施形態も第４実施形態と同様に、反射層９側のホログラムＨが形成されていない領域に位置決め用マークＭを配置することにより、上記領域の有効利用を図るものである。よって、記録密度を低下させることなくかつノイズの原因とならないように、マークＭを記録領域に配置できる。
【００４４】
第１〜第５実施形態において、ピットをマークＭにしているので、マークＭの箇所は凹部になっているが、マークＭを凸部で表してもよい。さらに、光ディスクは記憶領域が円盤状であればよく、光ディスクの外形には無関係である。例えば、三角形、四角形や六角形等であり、大きさが名刺程度のカード形状に円盤状の記録領域を有する光ディスクについても第１〜第５実施形態を適用することができる。
【００４５】
【発明の効果】
以上述べたように、本発明に係る第１の光情報記録媒体によれば、記録領域に記録された複数のホログラムの探索が容易となるので、再生の高速化を実現できる。
【００４６】
本発明に係る第２の光情報記録媒体によれば、レーザ光が光情報記録媒体に入射する方向から見てホログラムと重なる位置であって、ホログラムを記録するために記録層を露光するレーザ光の光路を避ける位置に、マークが形成されている。このため、記録や再生に利用されるマークを、記録密度を低下させることなくかつノイズの原因とならないように配置できる。
【図面の簡単な説明】
【図１】第１実施形態に係る光ディスクの平面図である。
【図２】図１の光ディスクの一部を拡大した図である。
【図３】図１の光ディスクにおいて記録再生を説明するための図である。
【図４】図１の光ディスクを製造する方法の一例の工程図である。
【図５】第２実施形態に係る光ディスクの記録領域の拡大平面図である。
【図６】第３実施形態に係る光ディスクに備えられるプリフォーマット領域および記録領域の拡大平面図である。
【図７】第４実施形態に係る光ディスクを説明するための図である。
【図８】第４実施形態に係る光ディスクに備えられるマークの変形例の平面図である。
【図９】第５実施形態に係る光ディスクを説明するための図である。
【符号の説明】
１・・・光ディスク、３・・・中心穴、５・・・トラック、７・・・第１基板、９・・・反射層、１１・・・記録層、１３・・・第２基板、１５・・・ピット、１７・・・レンズ、１９・・・ホログラム記録材料、２１・・・表面、２３・・・裏面、Ｈ・・・ホログラム、Ｍ・・・マーク、Ｓ・・・スポット
【図１】
2004158113.tif 000003
【図２】
2004158113.tif 000004
【図３】
2004158113.tif 000005
【図４】
2004158113.tif 000006
【図５】
2004158113.tif 000007
【図６】
2004158113.tif 000008
【図７】
2004158113.tif 000009
【図８】
2004158113.tif 000010
【図９】
2004158113.tif 000011